(57)【要約】      （修正有）【課題】従来よりも多くのバリエーションによる表示物の表示が可能な表示用具を提供する。【解決手段】取付部材１０から延びる延出部材２０に対する嵌合固定部材３０の嵌合パターンを選択的に変更することができ、これにより、この嵌合固定部材３０に設けられた保持部材４０に保持される表示物の表示状態も異ならせることができる。このことは、上記嵌合パターンと同じ数だけ、表示物の表示状態を変更できることを意味する。つまり、この表示用具であれば、コイルバネのみにより表示物の表示を行う構成と比べて、上記嵌合パターンの数に応じて表示物を表示する際のバリエーションが多くなる結果、従来よりも多くのバリエーションによる表示物の表示が可能となる。【選択図】図２
0003128952.tif 000002
【実用新案登録請求の範囲】
【請求項１】
取付対象に取り付けるための取付面が形成された取付部材と、
それぞれ該取付部材から前記取付面と交差する方向へ延びる１以上の延出部材と、
該延出部材に形成された被嵌合部に対し、複数種類の嵌合パターンそれぞれで嵌合可能な嵌合部を有しており、該嵌合部と前記被嵌合部とをいずれかの嵌合パターンで選択的に嵌合させることによって、前記延出部材それぞれに固定される嵌合固定部材と、
該嵌合固定部材から突出する腕部を有しており、該腕部により表示物を保持可能な保持部材と、を備えている
ことを特徴とする表示用具。
【請求項２】
前記延出部材は、該延出部材外周面において、所定の位置を中心とする円周に沿って均等な角度間隔で配置された複数の孔が、前記被嵌合部として形成されており、
前記嵌合固定部材は、該嵌合固定部材外周面において、所定の位置を中心とする円周に沿って前記均等な角度間隔で配置された複数の突起が、前記嵌合部として形成されており、
前記嵌合固定部材の嵌合部たる前記複数の突起を、前記延出部材の被嵌合部たる孔それぞれに嵌合させることで、前記嵌合固定部材の前記延出部材への固定が実現されると共に、前記突起が嵌合する前記孔を変更することで、複数種類の嵌合パターンでの嵌合が選択的に実現される
ことを特徴とする請求項１に記載の表示用具。
【請求項３】
前記嵌合固定部材は、該嵌合固定部材において嵌合部たる突起が形成されている円周の中心となる領域から、前記延出部材において被嵌合部たる孔が形成されている円周の中心となる領域を貫通した状態で、該領域と当該嵌合固定部材とを独立して変位可能となるように連結する連結部を有している
ことを特徴とする請求項２に記載の表示用具。
【請求項４】
前記嵌合固定部材は、少なくとも前記嵌合部たる突起の形成された領域を前記延出部材側へ付勢する付勢手段を有している
ことを特徴とする請求項２または請求項３に記載の表示用具。
【請求項５】
少なくとも２つの前記延出部材が所定の間隔を空けて配置されており、
該２つの延出部材の間には、一方の延出部材から他方の延出部材に向けて延びる位置関係でコイルバネが掛け渡されている
ことを特徴とする請求項１から４のいずれかに記載の表示用具。
【請求項６】
１以上の前記保持部材のうち、いずれかの保持部材は、前記腕部が筒状に形成されており、該筒状の領域に、棒状の表示物を挿入することで該表示物が保持される
ことを特徴とする請求項１から５のいずれかに記載の表示用具。
【請求項７】
１以上の前記保持部材のうち、いずれかの保持部材は、前記腕部の先端側がコイル状に形成されており、該コイルにおける巻線の間に、シート状の表示物を挟むことで該表示物が保持される
ことを特徴とする請求項１から６のいずれかに記載の表示用具。
【請求項８】
１以上の前記保持部材のうち、いずれかの保持部材は、それぞれ異なる方向に延びる複数の前記腕部を有している
ことを特徴とする請求項１から７のいずれかに記載の表示用具。
【考案の詳細な説明】
【技術分野】
【０００１】
本発明は、表示物を保持して表示するための表示用具に関する。
【背景技術】
【０００２】
従来から、遊技機において各種表示物の表示を行うための表示用具として、一対の板状部材間に掛け渡されたコイルバネからなるものが用いられている。
この種の表示用具では、コイルバネにおける巻線の間に表示物を挟み込むことでその表示物が保持され、これにより表示物の表示を実現している。
【考案の開示】
【考案が解決しようとする課題】
【０００３】
しかし、上述したような表示用具では、コイルバネにおける巻線に挟み込むという構成上、板状部材間に掛け渡されたコイルバネに対して一定のパターンで表示物を挟むことしかできないため、その表示のバリエーションが限られているという問題があった。
【０００４】
本考案は、このような課題を解決するためになされたものであり、その目的は、従来よりも多くのバリエーションによる表示物の表示が可能な表示用具を提供することである。
【課題を解決するための手段】
【０００５】
上記課題を解決するため請求項１に記載の考案は、取付対象に取り付けるための取付面が形成された取付部材と、それぞれ該取付部材から前記取付面と交差する方向へ延びる１以上の延出部材と、該延出部材に形成された被嵌合部に対し、複数種類の嵌合パターンそれぞれで嵌合可能な嵌合部を有しており、該嵌合部と前記被嵌合部とをいずれかの嵌合パターンで選択的に嵌合させることによって、前記延出部材それぞれに固定される嵌合固定部材と、該嵌合固定部材から突出する腕部を有しており、該腕部により表示物を保持可能な保持部材と、を備えている。
【０００６】
このように構成された表示用具であれば、取付部材から延びる延出部材に対する嵌合固定部材の嵌合パターンを選択的に変更することにより、この嵌合固定部材に設けられた保持部材により保持される表示物の表示状態も異ならせることができる。このことは、上記嵌合パターンと同じ数だけ、表示物の表示状態を変更できることを意味する。
【０００７】
つまり、この表示用具であれば、コイルバネのみにより表示物の表示を行う構成と比べて、上記嵌合パターンの数に応じて表示物を表示する際のバリエーションが多くなる結果、従来よりも多くのバリエーションによる表示物の表示が可能となる。
【０００８】
この構成において、嵌合固定部材と延出部材との固定を実現するための構成は、嵌合部と被嵌合部とを複数種類の嵌合パターンで嵌合することができればよく、その具体的な構成については特に限定されない。
【０００９】
例えば、嵌合固定部材および延出部材それぞれを、請求項２に記載のように構成することが考えられる。
この構成において、前記延出部材は、該延出部材外周面において、所定の位置を中心とする円周に沿って均等な角度間隔で配置された複数の孔が、前記被嵌合部として形成されており、前記嵌合固定部材は、該嵌合固定部材外周面において、所定の位置を中心とする円周に沿って前記均等な角度間隔で配置された複数の突起が、前記嵌合部として形成されている。
【００１０】
この場合、前記嵌合固定部材の嵌合部たる前記複数の突起を、前記延出部材の被嵌合部たる孔それぞれに嵌合させることで、前記嵌合固定部材の前記延出部材への固定が実現されると共に、前記突起が嵌合する前記孔を変更することで、複数種類の嵌合パターンでの嵌合が選択的に実現される。
【００１１】
このように構成すれば、嵌合固定部材の突起を延出部材の孔に嵌合させることで、嵌合固定部材の延出部材への固定を実現することができ、また、突起が嵌合する孔を変更することにより、上記嵌合パターンの選択的な変更を実現することができる。
【００１２】
この構成における嵌合固定部材の突起および延出部材の孔は、両者が嵌合することができれば、その具体的な形状および大きさは特に限定されない。また、嵌合固定部材の突起および延出部材の孔は、複数種類の嵌合パターンでの嵌合を選択的に実現することができれば、それぞれの具体的な数については特に限定されない。
【００１３】
また、上述したように突起と孔を嵌合させる構成においては、請求項３に記載の表示用具のように構成してもよい。
この表示用具において、前記嵌合固定部材は、該嵌合固定部材において嵌合部たる突起が形成されている円周の中心となる領域から、前記延出部材において被嵌合部たる孔が形成されている円周の中心となる領域を貫通した状態で、該領域と当該嵌合固定部材とを独立して変位可能となるように連結する連結部を有している。
【００１４】
このように構成すれば、連結部を回転軸として嵌合固定部材を回転させることができるため、嵌合固定部材における突起と延出部材における孔との嵌合を解除して、この嵌合固定部材を所定角度だけ回転させて再度突起と孔とを嵌合させるだけで、容易に突起の嵌合する孔を変更することができる。
【００１５】
また、このように嵌合固定部材と延出部材とが連結部により連結されていることから、延出部材との嵌合を解除させた嵌合固定部材を紛失してしまう恐れもない。
また、上述したように突起と孔を嵌合させる構成においては、その嵌合を確実ならしめるべく、請求項４に記載のように構成してもよい。
【００１６】
この構成において、前記嵌合固定部材は、少なくとも前記嵌合部たる突起の形成された領域を前記延出部材側へ付勢する付勢手段を有している。
このように構成すれば、嵌合固定部材の嵌合部たる突起を、延出部材の被嵌合部たる孔に嵌合させた際、両者を付勢手段により付勢した状態で保持することができるため、その嵌合が不用意に解除されてしまうような事態を防止することができる。
【００１７】
なお、この構成における付勢手段は、嵌合部たる突起の形成された領域を延出部材側へ付勢することができればよく、その具体的な構成は特に限定されない。例えば、バネなどを付勢手段として採用することが考えられる。
【００１８】
ところで、上述した表示用具においては、例えば、少なくとも２つの延出部材が所定の間隔を空けて配置されている場合であれば、請求項５に記載のように、その２つの延出部材の間に、一方の延出部材から他方の延出部材に向けて延びる位置関係でコイルバネが掛け渡された構成としてもよい。
【００１９】
このように構成すれば、コイルバネにおける巻線の間にシート状の表示物を挟むことで、この表示物を保持させることができるため、保持部材だけでなく、コイルバネによっても表示物の表示を実現することができる。
【００２０】
また、上述した各表示用具における保持部材は、腕部による表示物を保持することができるように構成されていればよく、その具体的な構成は特に限定されない。
例えば、請求項６に記載のように構成することが考えられる。この構成において、１以上の前記保持部材のうち、いずれかの保持部材は、前記腕部が筒状に形成されており、該筒状の領域に、棒状の表示物を挿入することで該表示物が保持される。
【００２１】
このように構成すれば、筒状となっている保持部材に、棒状の部分を有する旗などの表示物を挿入することで、その表示物の表示を実現することができる。
また、保持部材の具体的な構成としては、請求項７に記載のように構成することも考えられる。この構成において、１以上の前記保持部材のうち、いずれかの保持部材は、前記腕部の先端側がコイル状に形成されており、該コイルにおける巻線の間に、シート状の表示物を挟むことで該表示物が保持される。
【００２２】
このように構成すれば、コイルとなっている腕部の巻線の間に、シート状の表示物を挟むことで、その表示物の表示を実現することができる。
また、上述した各保持部材の具体的な形状については、例えば、請求項８に記載のように構成することが考えられる。この構成において、１以上の前記保持部材のうち、いずれかの保持部材は、それぞれ異なる方向に延びる複数の前記腕部を有している。
【００２３】
このように構成すれば、複数の腕部それぞれに表示物を保持させることで、複数の表示物を同時に表示することができる。
【考案を実施するための最良の形態】
【００２４】
以下に本考案の実施形態を図面と共に説明する。
（１）第１実施形態
表示用具１は、図１，図２に示すように、取付対象に取り付けるための取付面１２が形成された取付部材１０と、それぞれ取付部材１０から取付面１２と交差（本実施形態では直交）する方向へ延びる一対の延出部材２０と、一方の延出部材２０に固定された嵌合固定部材３０と、嵌合固定部材３０から突出する腕部４２により表示物を保持可能な保持部材４０と、一対の延出部材２０間に掛け渡されたコイルバネ５０と、を備えている。
【００２５】
一対の延出部材２０は、帯状の部材を、その両端それぞれが所定の間隔を空けて同じ方向へ延びるようにコの字型に曲げて形成されたものであり、一方の延出部材２０における下端（図２における下端）には、嵌合固定部材３０を固定するための被嵌合部２２が形成されている（図２（ｂ）参照）。この被嵌合部２２は、所定の位置を中心とする円周に沿って均等な角度間隔で配置された複数の孔２４からなり、この孔２４それぞれに嵌合固定部材３０を嵌合させることで、被嵌合部２２と嵌合固定部材３０との固定が実現される。
【００２６】
また、嵌合固定部材３０は、図３に示すように、延出部材２０に形成された被嵌合部２２に対し、複数種類の嵌合パターンそれぞれで嵌合可能な嵌合部３２を有しており、この嵌合部３２と被嵌合部２２とをいずれかの嵌合パターンで選択的に嵌合させることができるように構成されている（図４参照）。
【００２７】
具体的にいうと、この嵌合部３２は、所定の位置を中心とする円周であり、被嵌合部２２と同じ径の円周に沿って被嵌合部２２の孔２４と同じ角度間隔で配置された複数の突起３４からなる。そして、これら突起３４それぞれが嵌合する孔２４を変更することで、嵌合部３２と被嵌合部２２との複数種類の嵌合パターンでの嵌合が選択的に実現される。
【００２８】
また、この嵌合固定部材３０は、嵌合部３２たる突起３４が形成されている円周の中心となる領域から、延出部材２０において被嵌合部２２たる孔２４が形成されている円周の中心となる領域（被嵌合部２２）を貫通した状態で、この領域と嵌合固定部材３０とを独立して変位可能となるように連結する連結部３６を有している。
【００２９】
この連結部３６には、嵌合固定部材３０本体と延出部材２０とを連結する棒状の本体外周のうち、被嵌合部２２を貫通している端部側と被嵌合部２２との間に、コイルバネ３８が巻き付けられており、このコイルバネ３８により、嵌合固定部材３０における嵌合部３２の形成された領域を延出部材２０の被嵌合部２２側へ付勢している。
【００３０】
また、保持部材４０は、その全体が筒状に形成された腕部４２となっており、この筒状の領域に棒状の表示物を挿入することでこの表示物が保持される。
また、コイルバネ５０は、一方の延出部材２０から他方の延出部材２０に向けて延びる位置関係で掛け渡されており、このコイルバネ５０における巻線の間にシート状の表示物を挟むことで、この表示物を保持させることができる。
【００３１】
なお、この表示用具１においては、図５，図６に示すように、延出部材２０それぞれに嵌合固定部材３０が取り付けられた状態としてもよい。
（２）第２実施形態
表示用具２は、第１実施形態における表示用具１と同様の構成であるが、以下に示す点で表示用具１と相違する。
【００３２】
それは、まず、図７，図８に示すように、一方の延出部材２０全体が被嵌合部２２として形成されている点である。また、嵌合固定部材３０における連結部３６の本体外周のうち、被嵌合部２２を貫通している端部と反対の端部側と嵌合固定部材３０本体との間に、コイルバネ３８が巻き付けられている点である。また、延出部材２０間にコイルバネが掛け渡されておらず、一方の延出部材２０における被嵌合部２２を挟んで２つの嵌合固定部材３０が共通の連結部３６により連結されている点である。
（３）第３実施形態
表示用具３は、図９，図１０に示すように、取付対象に取り付けるための取付面１２が形成された取付部材１０と、それぞれ取付部材１０から取付面１２と交差（本実施形態では直交）する方向へ延びる３つの延出部材２０と、各延出部材２０に固定される嵌合固定部材６０と、嵌合固定部材６０から突出する腕部７２により表示物を保持可能な保持部材７０と、を備えている。
【００３３】
延出部材２０は、帯状の部材をその両端それぞれが所定の間隔を空けて同じ方向へ延びるようにコの字型に曲げて形成した一対の延出部材２０ａ，２０ｂと、これら延出部材２０の間に配置された板状の部材からなる延出部材２０ｃと、で構成されている。これら延出部材２０は、その全体が、上述した表示用具１と同様、嵌合固定部材６０を固定するための被嵌合部２２として形成されている。
【００３４】
また、嵌合固定部材６０は、上述した表示用具１と同様、延出部材２０である被嵌合部２２に対し、複数種類の嵌合パターンそれぞれで嵌合可能な嵌合部（図示略）を有しており、この嵌合部と被嵌合部２２とをいずれかの嵌合パターンで選択的に嵌合させることができるように構成されている（図１１参照）。
【００３５】
また、この嵌合固定部材６０それぞれは、嵌合部６２の中心となる領域から、延出部材２０における被嵌合部２２の中心となる領域を貫通すると共に、これら領域と嵌合固定部材６０とを独立して変位可能となるように固定する連結部６６により連結されている。
【００３６】
なお、この連結部６６には、嵌合固定部材６０本体と延出部材２０とを連結する棒状の本体外周のうち、延出部材２０それぞれの間となる領域に、コイルバネ６８が巻き付けられており、このコイルバネ６８により、嵌合固定部材６０における嵌合部６２の形成された領域を対応する延出部材２０側へ付勢している。
【００３７】
また、保持部材７０は、延出部材２０と同一方向に延びる腕部７２の先端側がコイル状に形成されており、このコイル７４における巻線の間にシート状の表示物を挿入することでこの表示物が保持される。
（４）作用，効果
このように構成された各表示用具であれば、取付部材１０から延びる延出部材２０に対する嵌合固定部材３０，６０の嵌合パターンを選択的に変更することができ、これにより、この嵌合固定部材３０，６０に設けられた保持部材４０，７０，８０に保持される表示物の表示状態も異ならせることができる。このことは、上記嵌合パターンと同じ数だけ、表示物の表示状態を変更できることを意味する。
【００３８】
つまり、この表示用具であれば、コイルバネのみにより表示物の表示を行う構成と比べて、上記嵌合パターンの数に応じて表示物を表示する際のバリエーションが多くなる結果、従来よりも多くのバリエーションによる表示物の表示が可能となる。
【００３９】
また、上記構成では、嵌合固定部材３０，６０の突起３４を延出部材２０の孔２４に嵌合させることで、嵌合固定部材３０，６０の延出部材２０への固定を実現することができ、また、突起３４が嵌合する孔２４を変更することにより、上記嵌合パターンの選択的な変更を実現することができる。
【００４０】
また、上記構成では、連結部３６，６６を回転軸として嵌合固定部材３０，６０を回転させることができるため、嵌合固定部材３０，６０における突起３４と延出部材２０における孔２４との嵌合を解除して、この嵌合固定部材３０，６０を所定角度だけ回転させて再度突起３４と孔２４とを嵌合させるだけで、容易に突起３４の嵌合する孔２４を変更することができる。
【００４１】
また、このように嵌合固定部材３０，６０と延出部材２０とが連結部３６，６６により連結されていることから、延出部材２０との嵌合を解除させた嵌合固定部材３０，６０を紛失してしまう恐れもない。
【００４２】
また、上記構成では、嵌合固定部材３０，６０の嵌合部３２，６２を、延出部材２０の被嵌合部２２に嵌合させた際、両者をコイルバネ３８，６８により付勢した状態で保持することができるため、その嵌合が不用意に解除されてしまうような事態を防止することができる。
【００４３】
また、上記構成のうち、第１実施形態の表示用具１では、延出部材２０間にコイルバネ５０が掛け渡されているため、このコイルバネ５０における巻線の間にシート状の表示物を挟むことで、この表示物を保持させることができるため、保持部材４０だけでなく、コイルバネ５０によっても表示物の表示を実現することができる。
【００４４】
また、上記構成のうち、第１実施形態，第２実施形態の表示用具１，表示用具２では、筒状となっている保持部材４０の腕部４２に、棒状の部分を有する旗などの表示物を挿入することで、その表示物の表示を実現することができる。
【００４５】
また、上記構成のうち、第３実施形態の表示用具３では、保持部材７０における腕部７２の先端側がコイル状に形成されており、このコイル７４における巻線の間に、シート状の表示物を挟むことで、その表示物の表示を実現することができる。
（５）変形例
以上、本考案の実施の形態について説明したが、本考案は、上記実施形態に何ら限定されることはなく、本考案の技術的範囲に属する限り種々の形態をとり得ることはいうまでもない。
【００４６】
例えば、上記実施形態において、嵌合固定部材３０，６０と延出部材２０との固定を実現するための構成は、嵌合部と被嵌合部とを複数種類の嵌合パターンで嵌合することができれば、上述した構成に限られない。
【００４７】
また、嵌合部３２の突起３４および被嵌合部２２の孔２４は、両者が嵌合することができれば、その具体的な形状および大きさは特に限定されない。また、嵌合固定部材３０，６０の突起３４および延出部材２０の孔２４は、複数種類の嵌合パターンでの嵌合を選択的に実現することができれば、それぞれの具体的な数や配置については特に限定されない。
【００４８】
また、上記実施形態においては、嵌合固定部材３０，６０を延出部材２０に付勢するための付勢手段としてコイルバネ３８，６８を採用した構成を例示した。しかし、この付勢するための手段としては、コイルバネ以外のものを採用した構成としてもよい。
【００４９】
また、上記実施形態においては、複数の保持部材が、それぞれ同一種類のもののみにより構成されたものを例示した。しかし、保持部材は、それぞれ異なる種類のものにより構成してもよい。
【００５０】
具体的な例としては、図１２，図１３に示すように、第３実施形態の表示用具３における延出部材２０ａに、それぞれ異なる方向（本実施形態では、９０度離れた方向）に向けて延びる複数（本実施形態においては２つ）の腕部８２（先端側がコイル状（コイル８４）に形成されている）からなる保持部材８０を設け、延出部材２０ｃに第１実施形態の表示用具１における保持部材４０を設けた構成とすることも考えられる。この場合、連結部材６０は、延出部材２０ａ，２０ｃのみを連結するように構成する。
【００５１】
この構成であれば、複数の腕部８２それぞれに表示物を保持させることで、複数の表示物を同時に表示することができる。
【図面の簡単な説明】
【００５２】
【図１】第１実施形態の表示用具を示す三面図
【図２】第１実施形態の表示用具を示す斜視図（嵌合固定部材が取り付けられた状態（ａ）と取り外された状態（ｂ））
【図３】第１実施形態の表示用具における嵌合固定部材を示す三面図
【図４】第１実施形態の表示用具において、嵌合固定部材の嵌合パターンを変更する様子を示す側面図
【図５】第１実施形態の表示用具における変形例を示す三面図
【図６】第１実施形態の表示用具における変形例を示す斜視図
【図７】第３実施形態の表示用具を示す三面図
【図８】第３実施形態の表示用具を示す斜視図
【図９】第４実施形態の表示用具を示す三面図
【図１０】第４実施形態の表示用具を示す斜視図
【図１１】第４実施形態の表示用具において、嵌合固定部材の嵌合パターンを変更する様子を示す側面図
【図１２】別の実施形態の表示用具を示す三面図
【図１３】別の実施形態の表示用具を示す斜視図
【符号の説明】
【００５３】
１…表示用具、２…表示用具、３…表示用具、４…表示用具、５…表示用具、１０…取付部材、１２…取付面、２０…延出部材、２２…被嵌合部、２４…孔、３０…嵌合固定部材、３２…嵌合部、３４…突起、３６…連結部、３８…コイルバネ、４０…保持部材、４２…腕部、５０…コイルバネ、６０…連結部材、６０…嵌合固定部材、６２…嵌合部、６６…連結部、６８…コイルバネ、７０…保持部材、７２…腕部、７４…コイル、８０…保持部材、８２…腕部、８４…コイル。
【図１】
0003128952.tif 000003
【図２】
0003128952.tif 000004
【図３】
0003128952.tif 000005
【図４】
0003128952.tif 000006
【図５】
0003128952.tif 000007
【図６】
0003128952.tif 000008
【図７】
0003128952.tif 000009
【図８】
0003128952.tif 000010
【図９】
0003128952.tif 000011
【図１０】
0003128952.tif 000012
【図１１】
0003128952.tif 000013
【図１２】
0003128952.tif 000014
【図１３】
0003128952.tif 000015